(57)【要約】【課題】レーザ光のパルス幅を変えてレーザ光ドライバの制御信号の変化に応じた補正量を求め、これにより適正な光量制御を行うことで、リンギングや波形なまりの影響を解消することができる光ディスク装置及び光ディスク装置の制御方法を提供する。【解決手段】記録時に使用するパルス幅Ｔ２より広いパルス幅Ｔ１のレーザ光を発光部３５に発光させ、レーザ光を受光部３３で受けて第１検出信号を出力させ、第１検出信号のピークレベルでホールドした値をレーザ光量の目標値と比較して第１制御信号Ｖ１を生成し、第１検出信号をレーザ光量の目標値と比較して第２制御信号Ｖ２を生成し、第１制御信号Ｖ１と第２制御信号Ｖ２とが等しくないとき、等しくなるための補正量を求めて保存し、光ディスクに情報を記録する際は、受光部からの検出信号に応じて生成した制御信号を補正量で補正して発光部の駆動部に供給することで、レーザ光の光量を制御する。【選択図】  図１
2005166123.tif 000002
【特許請求の範囲】
【請求項１】
記録時に使用するパルス幅より広いパルス幅のレーザ光を発光部に発光させ、
前記レーザ光を受光部で受けて第１検出信号を出力させ、
前記第１検出信号のピークレベルでホールドした値をレーザ光量の目標値と比較して、第１制御信号を生成し、
前記第１検出信号をレーザ光量の目標値と比較して第２制御信号を生成し、
前記第１制御信号と第２制御信号とが等しくないとき、等しくなるための補正量を求めて保存し、
光ディスクに情報を記録する際は、前記受光部からの検出信号に応じて生成した制御信号を前記補正量で補正して、前記発光部の駆動部に供給することで、前記レーザ光の光量を制御することを特徴とする光ディスク装置の制御方法。
【請求項２】
前記第１制御信号と前記第２制御信号とが等しい時、記録時に使用するパルス幅によりレーザ光を発光部に発光させ、
この時の前記レーザ光を受光部で受けて第２検出信号を出力させ、
前記第２検出信号をレーザ光量の目標値と比較して第３制御信号を生成し、
前記第１制御信号と第３制御信号とが等しくないとき、等しくなるための第２補正量を求めて保存し、
光ディスクに情報を記録する際は、前記受光部からの検出信号に応じて生成した制御信号を前記第２補正量で補正して、前記発光部の駆動部に供給することで、前記レーザ光の光量を制御することを特徴とする請求項１記載の光ディスク装置の制御方法。
【請求項３】
前記記録時に使用するパルス幅より広いパルス幅とは、前記第１検出信号のリンギングの期間よりも長い期間をもつパルス幅であることを特徴とする請求項１記載の光ディスク装置の制御方法。
【請求項４】
前記第１補正信号の生成のための処理を、所定期間毎に自動的に行うことを特徴とする請求項１記載の光ディスク装置の制御方法。
【請求項５】
前記第１補正信号の生成のための処理を、前記光ディスク装置の工場出荷時に行うことを特徴とする請求項１記載の光ディスク装置の制御方法。
【請求項６】
レーザ光を発光する発光部と、
前記レーザ光を受光して検出信号を出力する受光部と、
前記発光部に駆動信号を供給することで前記発光部にレーザ光を発光させる駆動部と、
前記受光部からの前記検出信号を受けレーザ光の目標値と比較して制御信号を生成し前記駆動部に供給することでレーザ光の光量を制御する出力制御部と、
更に、記録時に使用するパルス幅より広いパルス幅のレーザ光を前記発光部に発光させ、前記レーザ光を前記受光部で受けて第１検出信号を出力させ、前記出力制御部において、前記第１検出信号のピークレベルでホールドした値をレーザ光量の目標値と比較して、第１制御信号を生成し、前記第１検出信号をレーザ光量の目標値と比較して第２制御信号を生成し、前記第１制御信号と第２制御信号とが等しくないとき、等しくなるための補正量を求めて保存し、光ディスクに情報を記録する際は、前記受光部からの検出信号に応じて生成した制御信号を前記補正量で補正して、前記発光部の駆動部に供給することで、前記レーザ光の光量を制御する制御部と、
を具備することを特徴とする光ディスク装置。
【請求項７】
前記制御部の制御により、
前記第１制御信号と前記第２制御信号とが等しい時、記録時に使用するパルス幅によりレーザ光を発光部に発光させ、
この時の前記レーザ光を受光部で受けて第２検出信号を出力させ、
前記出力制御部において、前記第２検出信号をレーザ光量の目標値と比較して第３制御信号を生成し、
前記第１制御信号と第３制御信号とが等しくないとき、等しくなるための第２補正量を求めて保存し、
光ディスクに情報を記録する際は、前記受光部からの検出信号に応じて生成した制御信号を前記第２補正量で補正して、前記発光部の駆動部に供給することで、前記レーザ光の光量を制御することを特徴とする請求項６記載の光ディスク装置。
【請求項８】
前記記録時に使用するパルス幅より広いパルス幅とは、前記第１検出信号のリンギングの期間よりも長い期間をもつパルス幅であることを特徴とする請求項６記載の光ディスク装置。
【請求項９】
前記制御部の制御により、前記補正信号の生成のための処理を、所定期間毎に自動的に行うことを特徴とする請求項６記載の光ディスク装置。
【請求項１０】
前記補正信号の生成のための処理は、前記光ディスク装置の工場出荷時に行うことを特徴とする請求項６記載の光ディスク装置。
【発明の詳細な説明】
【技術分野】
【０００１】
本発明は、光ディスク装置のレーザ光の自動パワー制御回路に関し、特に、リンギングや波形なまりに応じたレーザ光の自動パワー制御回路を有する光ディスク装置と光ディスク装置の制御方法に関する。
【背景技術】
【０００２】
光ディスク装置では、レーザの出射光の強さを制御する方法としてレーザの出射光を検出し、レーザ光の検出量と比例したフロントモニタ信号を入力としたＡＰＣ回路で制御することが一般的である。データの記録中は出射光が高速に変化するため、サンプリングパルスによりＡＰＣ回路中でサンプルホールドし、記録レベル／消去レベル／再生（ボトム）レベル各々のレベル毎にＡＰＣ回路を動作させている。又、ＣＤ−ＲＷやＤＶＤ−ＲＷなどの書き換え型メディアの場合、マルチパルスを使用するとマルチパルス間で高速にレーザ出射光が変化するため、サンプリングが間に合わない状況になる。そのため、ボトムホールド回路を使用することで安定に出射光を制御することが行なわれている。
【０００３】
しかし、上記制御方法においてはＡＰＣ回路に入力されるフロントモニタ信号の信号品位に影響を受けやすい。特に、リンギングや波形なまりなどの要因により、所望するレーザ出射光と制御されたレーザ出射光に誤差が生じる。これに対して、モニタ信号の波形なまりに対応した関連技術が知られている。
【０００４】
特許文献１には、光ディスクへの記録動作時に、ライトモード時のリードレベルを制御する光ディスク装置の記録再生装置が示されている。ここでは、記録を行いながら、モニタ信号のシフト量を検出し、ライトモード時のリードレベルを最適化している。
【特許文献１】特開２００２−１０９７３３号公報。
【発明の開示】
【発明が解決しようとする課題】
【０００５】
しかし、特許文献１の従来技術においては、モニタ信号のシフト量の検出は、通常処理を行いながら同時に行われるために、シフト量の検出のためにレーザ光のパルス幅を調節する等の処理を行うものではない。従って、最適な状態でモニタ信号のシフト量の検出を行うことができないという問題がある。又、特許文献１の従来技術においては、ライトモード時のレーザ光のライトレベルを最適化するための、モニタ信号のシフト量の検出を行うのではなくて、リードレベルを最適化するための、シフト量の検出を行っている。従って、本発明が課題としているライトモード時のライトレベルのための、リンギングや波形なまりの悪影響を解消することができないという問題がある。
【０００６】
本発明は、レーザ光のパルス幅を変えてレーザ光ドライバの制御信号の変化に応じた補正量を求め、これにより適正な光量制御を行うことで、リンギングや波形なまりの影響を解消することができる光ディスク装置及び光ディスク装置の制御方法を提供することを目的とする。
【課題を解決するための手段】
【０００７】
本発明は、記録時に使用するパルス幅より広いパルス幅のレーザ光を発光部に発光させ、前記レーザ光を受光部で受けて第１検出信号を出力させ、前記第１検出信号のピークレベルでホールドした値をレーザ光量の目標値と比較して、第１制御信号を生成し、前記第１検出信号をレーザ光量の目標値と比較して第２制御信号を生成し、前記第１制御信号と第２制御信号とが等しくないとき、等しくなるための補正量を求めて保存し、光ディスクに情報を記録する際は、前記受光部からの検出信号に応じて生成した制御信号を前記補正量で補正して、前記発光部の駆動部に供給することで、前記レーザ光の光量を制御することを特徴とする光ディスク装置の制御方法である。
【０００８】
又、本発明は、更に、前記第１制御信号と前記第２制御信号とが等しい時、記録時に使用するパルス幅によりレーザ光を発光部に発光させ、この時の前記レーザ光を受光部で受けて第２検出信号を出力させ、前記第２検出信号をレーザ光量の目標値と比較して第３制御信号を生成し、前記１制御信号と第３制御信号とが等しくないとき、等しくなるための第２補正量を求めて保存し、光ディスクに情報を記録する際は、前記受光部からの検出信号に応じて生成した制御信号を前記第２補正量で補正して、前記発光部の駆動部に供給することで、前記レーザ光の光量を制御することを特徴とする光ディスク装置の制御方法である。
【０００９】
又、本発明は、レーザ光を発光する発光部と、前記レーザ光を受光して検出信号を出力する受光部と、前記発光部に駆動信号を供給することで前記発光部にレーザ光を発光させる駆動部と、前記受光部からの前記検出信号を受けレーザ光の目標値と比較して制御信号を生成し前記駆動部に供給することでレーザ光の光量を制御する出力制御部とを有し、更に、記録時に使用するパルス幅より広いパルス幅のレーザ光を前記発光部に発光させ、前記レーザ光を前記受光部で受けて第１検出信号を出力させ、前記出力制御部において、前記第１検出信号のピークレベルでホールドした値をレーザ光量の目標値と比較して、第１制御信号を生成し、前記第１検出信号をレーザ光量の目標値と比較して第２制御信号を生成し、前記第１制御信号と第２制御信号とが等しくないとき、等しくなるための補正量を求めて保存し、光ディスクに情報を記録する際は、前記受光部からの検出信号に応じて生成した制御信号を前記補正量で補正して、前記発光部の駆動部に供給することで、前記レーザ光の光量を制御する制御部とを具備することを特徴とする光ディスク装置である。
【発明の効果】
【００１０】
すなわち、本発明に係る光ディスク装置の制御方法においては、レーザ光の光量を検出するフロントモニタの検出信号に含まれるリンギング及び波形なまりが生じさせる誤差を解消するべく、通常動作から離れて、通常動作時では使用しない十分に長いパルス幅のレーザ光を用いるものである。このパルス幅の一例をあげると、通常に記録や再生に使用するパルス幅が２０ｎｓｅｃだとすると、この約５０倍の１μｓｅｃのパルス幅の十分に長いパルス幅のレーザ光である。
【００１１】
つまり、リンギング及び波形なまりの時間幅に対して、十分に長いパルス幅（例えば、１μｓｅｃ）の記録パルスと、上記の時間幅に対して短い記録パルス（例えば、２０ｎｓｅｃ）の２種類によってレーザ発光させ、その時ピークホールド回路をオンオフさせ、レーザ出射光を制御している電圧の差からリンギング及び波形なまりによって生じている誤差量を求める。
【００１２】
このように求めた誤差量に応じて、記録する際に制御信号を補正することで、リンギングや波形なまりの大きいフロントモニタであっても、これらの誤差分を含むことなく、適正な光量のレーザ光を供給することで、安定した記録処理を行うことができる光ディスク装置を手供することができる。
【００１３】
なお、特許文献１の従来技術では、通常の書込動作時で行うシフト量の検出なので、通常のパルス幅のレーザ光しか用いることができないため、リンギングや波形なまりの誤差を十分に検出することができない。
【発明を実施するための最良の形態】
【００１４】
以下、この発明の実施の形態について図面を参照して詳細に説明する。
【００１５】
＜本発明に係る光ディスク装置＞
図１は、本発明に係る光ディスク装置の構造の一例を示すブロック図、図２は、ピックアップの一例の構造を示すブロック図、図３は、本発明に係る光ディスク装置のライトＡＰＣ回路の構成の一例を示すブロック図である。
【００１６】
（構成）
図１において、本発明に係る光ディスク装置は、光ディスクＤを保持して所定回転数で回転させる光ディスクモータ１２と、光ディスクＤに対し光ビームを照射し反射光を検出する光ピックアップ１４と、検出した信号が供給されＲＦ信号及びサーボ用信号を生成するＲＦアンプ１６と、ＲＦ信号が供給される信号処理回路１８とレーザ出力決定回路２１を有している。更に、外部とデータを送受信するインタフェース３１と、インタフェース３１に接続され与えられるデータ又は光ピックアップ１４で読み取った再生データ等を一時的に格納しておくバッファメモリ３０とを有している。
【００１７】
更に、バッファメモリ３０やインタフェース３１に接続され、与えられたデータをコード化するエンコード処理回路２８と、エンコード処理回路２８によりコード化された出力が供給されるレーザ発光ドライバ２０とを有している。レーザ発光ドライバ２０は、全体のシステム動作を司るシステムコントローラ１０に接続されているレーザ出力決定回路２１からの制御信号Ｃにより出力が制御され、ＲＦアンプ１６から供給されるＲＦ信号に基づくレーザ光を光ピックアップ１４により発生させる。なお、システムコントローラ１０はデータバスを介して、上述した各部に接続されてそれらの動作を制御している。又、システムコントローラ１０は、後述する本発明の特徴である、ライトＡＰＣ回路１１による補正処理のための、リンギング及び波形なまりに応じた誤差量の検出処理とこの誤差量に応じた補正信号の決定処理を行うための補正量決定部を含んでいる。
【００１８】
更に、このＲＦアンプ１６で生成されたサーボ用信号であるフォーカスエラー信号を受けて、光ピックアップ１４のフォーカス制御を行うためのフォーカスサーボアンプ・ドライバ２３、更に、このＲＦアンプ１６で生成されたサーボ用信号であるトラッキングエラー信号を受けて光ピックアップ１４のトラッキング制御を行うためのトラッキングサーボアンプ・ドライバ２５とをそれぞれ有する。
【００１９】
更に、本発明に係る光ディスク装置の光ピックアップ１４は、図２に示すように、対物レンズ３９−２を保持するアクチュエータ３９を有しており、アクチュエータ３９は、トラック方向のアクチュエータの駆動コイル４０とフォーカス方向のアクチュエータの駆動コイル４１とが設けられている。ここでは、上述したトラッキングドライバ２３及びフォーカスドライバ２５からそれぞれトラッキング制御信号ＣＴ及びフォーカス制御信号ＣＦが供給されることで、サーボ制御が可能となる。
【００２０】
光ピックアップ１４は、ビームスプリッタ３７等の働きにより照射と受光との両方を行うものである。レーザ発光ドライバ２０の制御信号に応じたフォトダイオード３５からのレーザ光の照射がレンズ３６を経てビームスプリッタ３７を通過し１／４波長板３８等を介して対物レンズ３９−２により集光され光ディスクＤの所定領域へと照射される。更に、光ディスクＤからの反射光は、対物レンズ３９−２により拡張されビームスプリッタ３７により集光レンズ３４側へと分離され、更にフォトデテクタ３２へと供給される。フォトデテクタ３２は、検出信号Ｓを供給し、ＲＦアンプ１６を介してトラッキングエラー信号及びフォーカスエラー信号が、トラッキングサーボアンプ２５及びフォーカスサーボアンプ２３に供給され、更に、再生信号の生成のための検出信号Ｓが、信号処理回路１８へと供給される。
【００２１】
又、本発明に係る光ディスク装置は、光ピックアップ１４のフロントモニタ３３からのフロントモニタ信号Ｍを受け、この信号に応じた適正な制御信号Ｃをレーザ発光ドライバ２０に供給して、レーザ発光ドライバ２０の制御を行うライトＡＰＣ（Auto Power Controller）回路１１を有している。ライトＡＰＣ回路１１は、特に、光ディスクＤへの書き込みの際のレーザ光の出力制御を行っている。
【００２２】
ここで、ライトＡＰＣ回路１１は、図３に示すように、光ピックアップ１４のフロントモニタ３３からのフロントモニタ信号Ｍを受けるピークホールド回路４１と、フロントモニタ信号Ｍを受ける入力端４６とピークホールド回路４１からの入力端４７との一方を任意に選択できるスイッチ部４８と、このスイッチ部４８の出力と基準電位とが入力されるゲインアンプ４２と、ゲインアンプ４２が供給されるサンプリングホールド回路４３と、サンプリングホールド回路４３の出力と、補正量が格納されているレジスタ４５が供給されるゲインアンプ４４とを有している。
【００２３】
（基本動作）
このような構成の光ディスク装置において、光ディスクの再生処理は、以下のように行われる。すなわち、システムコントローラ１０の制御下において、光ディスクモータ１２により所定速度に回転される光ディスクＤは、レーザ出力設定回路２１で設定されたレーザ発光ドライバ２０に応じてレーザ光を発生し、その反射光が光ピックアップ１４により検出され、これに基づく検出信号が出力される。この検出信号がＲＦアンプ１６に供給され、ここから出力されたＲＦ信号が信号処理回路１８及びレーザ出力設定回路２１に、又、ＲＦアンプ１６で生成されたサーボ用信号であるフォーカスエラー信号とトラッキングエラー信号とが、それぞれ、フォーカスサーボアンプ２３及びトラッキングサーボアンプ２５に供給される。信号処理回路１８ではＲＦ信号をデコードし、デコードされた信号がバッファメモリ３０に一時的に蓄えられるか、そのままインタフェース３１を介して外部に出力される。又、システムコントローラ１０は、光ディスクモータ１２の回転をコントロールするコントロール信号を生成して光ディスクモータ１２の回転を制御している。
【００２４】
更にこのような構成の光ディスク装置において、光ディスクの記録処理は、以下のように行われる。すなわち、システムコントローラ１０の制御下において、例えばインタフェース３１を介して供給されたデータは、一時的にバッファメモリ３０に蓄えられた後にエンコード処理回路２８に供給され、コード化されて出力される。このコード化出力と、レーザ出力設定回路２１との出力に応じて、レーザ発光ドライバ２０のドライバ出力が光ピックアップ１４に供給される。光ピックアップ１４ではこのドライバ出力に応じたレーザ光を搭載されたフォトダイオード３５から発光し、光ディスクモータ１２により所定回転数で回転されている光ディスクＤの記憶領域に照射することで、記録処理が行われるものである。
【００２５】
＜本発明に係るライトＡＰＣ回路＞
以下、本発明に係るライトＡＰＣ回路の動作について、図面を用いて詳細に説明する。図４は、本発明に係る光ディスク装置のＡＰＣ回路における理想的なフロントモニタ信号の一例を示すグラフ、図５は、本発明に係る光ディスク装置のＡＰＣ回路におけるリンギングが発生したフロントモニタ信号の一例を示すグラフ、図６は、本発明に係る光ディスク装置のＡＰＣ回路における信号なまりが発生したフロントモニタ信号の一例を示すグラフ、図７は、本発明に係る光ディスク装置において、長いパルス幅のパルスによりリンギングを解消した場合の一例を示すグラフ、図８は、本発明に係る光ディスク装置において、長いパルス幅のパルスにより信号なまりを解消した場合の一例を示すグラフ、図９は、本発明に係る光ディスク装置のＡＰＣ回路における、補正量の決定・格納の処理の一例を示すフローチャートである。
【００２６】
（基本動作）
上述した光ディスク装置において、本発明に係るライトＡＰＣ（Auto Power Control）回路１１の基本動作について説明する。図１乃至図３において、記録処理時のレーザ光であるライトパワーの制御を行うものであり、図２のフロントモニタ３３からの検出信号Ｍはピークホールド回路４１と入力端４６とに供給され、ピークホールド回路４１の出力は、入力端４７に供給されているが、通常のデータの記録時には、入力端４６からのフロントモニタ３３からの検出信号Ｍがゲインアンプ４２の入力端に供給され、図４に示す基準電位ＶＲと比較されて適正な制御信号がゲインアンプ４２から出力される。制御信号は、更にサンプリング回路４３を経て、ゲインアンプ４４の入力端に供給され、レジスタ４５から補正値が供給されていなければ、そのままレーザ制御電流Ｃとしてレーザ発光ドライバ２０に供給される。レーザ発光ドライバ２０は、このレーザ制御電流Ｃに応じてレーザ光の光量を適正に制御するべく、駆動電流をフォトダイオード３５に供給することで、発光部であるフォトダイオード３５からのレーザ光の光量を制御するものである。
【００２７】
（リンギング及び波形なまりによる不具合）
しかしながら、光ピックアップ部１４のフロントモニタ部３３の検出信号は、図５で示されるリンギングＲや、図６で示される波形なまりＨが生じることがあり、これらに由来する誤差成分が検出信号の信号品位を低下させている。
【００２８】
すなわち、図５においては、フロントモニタ信号Ｍは、本来のレベルＬ０を示す代わりに、リンギングＲによる誤差分ａを含んだレベルＬ１を示している。ここで、リンギングとは、短時間に発生するノイズであり、これにより、本来の信号レベルＬ０ではなくこれに誤差分ａが乗った大きなレベルＬ１を示してしまい、これがレーザ光量の制御に影響を与えている。
【００２９】
又、図６においては、フロントモニタ信号Ｍは、本来のレベルＬ０を示す代わりに、波形なまりＨによる誤差分ｂを含んだレベルＬ２を示している。波形なまりＨとは、パルス幅が短いために信号が十分本来の値に達する前にパルス期間が終わることにより、誤った値を示すもので、フロントモニタ信号Ｍの本来のレベルＬ０が示されずに、誤差分ｂが乗った不十分な信号レベルＬ２が示されてしまい、同様にこれがレーザ光量の制御に影響を与えるものである。
【００３０】
このようなリンギングＲや波形なまりＨは、レーザ光を電気信号に変換するピンフォトダイオードへの入射光量や、Ｉ／Ｖ変換回路のゲインや外部コンデンサ容量の各々のばらつきが原因であると言われ、検出信号の信号品位を低下させている。このため、例えば、リンギングＲが発生すると、検出信号Ｍが本来の値よりも低い値を示すため、レーザ光の光量が実際の値よりも高いものと誤解されることとなる。従って、ライトＡＰＣ回路１１の制御機能により、レーザ光の光量が目標の値よりも低く制御されることで、暗すぎるレーザ光となってしまう。
【００３１】
同様に、波形なまりが発生すると、検出信号Ｍが本来の値よりも高い値を示すため、レーザ光の光量が実際の値よりも低いものと誤解されることとなる。従って、ライトＡＰＣ回路１１の制御機能により、レーザ光の光量が目標の値よりも高く制御されることで、明るすぎるレーザ光となってしまう。いずれの場合も、ドライブ装置としては最適な記録パワーが得られないため、記録処理の信頼性の低下を招くこととなる。
【００３２】
（リンギング及び波形なまりによる補正処理）
次に、このようなリンギングと波形なまりに対する補正量の生成処理について、図７と図８のタイミングチャート及び図９と図１０のフローチャートを用いて以下に詳細に説明する。本発明に係るリンギングと波形なまりの補正量の生成は、光ピックアップユニット単体に対して、工場出荷時において、例えば、冶具を用いて技術者が行い、その補正量をライトＡＰＣ回路１１のレジスタ４５へ格納するという形で行うことが好適である。又、光ディスク装置のシステムコントローラ１０の動作プログラムにテストモードを設けておき、ユーザや技術者がこのテストモードを呼び出してリンギングと波形なまりの補正量の生成を行うことも好適である。又、このような作業をシステムコントローラ１０の動作プログラムの一部として設けておき、ユーザが気づかないうちに光ディスク装置の起動時等においてこれを行うものとしてもよいし、一年に一度等、定期的に自動化して行うものであることも好適である。
【００３３】
リンギングの影響を排除するための補正量の生成は、ライト時に使用されるレーザ光の約５０倍もの長いパルス幅のレーザ光を発生させ、リンギングの影響を受けない検出信号を作った時の制御信号Ｖ１を求め、次に、ピークホールド回路をオンして、リンギングの影響を含んだ制御信号Ｖ２を求め、両者を同一にするための制御量を求めるものである。
【００３４】
リンギングに応じる補正量を求める処理は、上述したテストモードにおいて、技術者の操作において、又は、システムコントローラ１０の制御下において、図７のタイミングチャートに示すように、図９のフローチャートにおいて、記録パワーＰｗをレジスタＡに設定し（Ｓ１１）、ＲＦアンプ１６に各パラメータを記録設定する（Ｓ１２）。そして、テストストラテジをパルス幅Ｔ１（例えば、通常に記録や再生に使用するパルス幅Ｔ２が２０ｎｓｅｃとすると、この約５０倍の１μｓｅｃ）に設定する（Ｓ１３）。そして、ピークホールド回路４１をオフ状態にし（Ｓ１４）、ライトモードをオンして（Ｓ１５）、リンギングが十分無視できるほど長い記録パルス幅Ｔ１（ｓ）によりレーザ光を発光させる。このときの出射光をＰｗ１（ｍＷ）、制御電圧をＶ１（Ｖ）とし、出射光を設定するレジスタ値をＡとする。
【００３５】
このようなパルス幅Ｔ１を十分長いレーザ光を設けることで、リンギングが落着くまでのセトリングタイムを無視することが可能であり、リンギングの発生していない部分をサンプルホールドすることでリンギングの影響のない真の制御電圧Ｖ１を得る（Ｓ１６）。すなわち、パルス幅Ｔ１のレーザ光を照射している際の、図３のゲインアンプ４４の出力であるレーザ制御電流Ｃに、この制御電圧Ｖ１が対応することとなる。この制御電圧Ｖ１を、例えば、レーザ発光ドライバ２０の記憶領域や、技術者の設けた記憶領域等に格納する（Ｓ１７）。
【００３６】
次に、リンギングの影響を受けている制御電圧Ｖ２を求めるべく、ピークホールド回路をオンする（Ｓ１８）。この時、モニタ信号Ｍは、図７に示すように、リンギングの影響で、本来はＥ２（Ｖ）となるべきところＥ１（Ｖ）を示すので、ライトＡＰＣ回路１１の働きで、制御電圧（制御電流Ｃに対応）が変化して制御電圧Ｖ２（Ｖ）を示す（Ｓ１９）。この結果、レーザ光もＰｗ２（ｍＷ）となり、リンギングの影響で不当に暗いレーザ光となっている（Ｐｗ１＞Ｐｗ２）。
【００３７】
本来リンギングがない理想的な状態では、Ｅ１＝Ｅ２、Ｖ１＝Ｖ２であることを利用し、Ｖ１＝Ｖ２であるかどうかを判断する（Ｓ２０）。制御電圧Ｖ１＝Ｖ２であれば、リンギングが発生していないとして、図１０の波形なまりに応じる補正量を生成する処理に進む。Ｖ１＝Ｖ２でなければ、Ｖ１＞Ｖ２であるかどうかを問い（Ｓ２１）、Ｖ１＞Ｖ２であれば、補正量であるレジスタＡの値を１単位増やし（Ｓ２２）、Ｖ１＜Ｖ２であれば、補正量であるレジスタＡの値を１単位減らして（Ｓ２３）、再び、制御電圧Ｖ２の変化を調べる（Ｓ２４）。このレジスタＡの値の調整を、Ｖ１＝Ｖ２となるまで反復し（Ｓ２５）、最終的にＶ１＝Ｖ２となった際のレジスタＡの値を、リンギングの影響を解消するための補正量と決定する（Ｓ２６）。
【００３８】
次に、図１０のフローチャートを用いて、波形なまりに応じる補正量の生成処理を説明する。ステップＳ２０において、Ｖ１＝Ｖ２であれば、リンギングがないものとして、次に、波形なまりの影響を調べ、これに対する補正量を生成する。
【００３９】
波形なまりは、図８に示すように、書込みの際に使用するパルスと同じ長さのパルスＴ２（ｓ）を使用して、その影響を制御電圧Ｖ３という形で検出する。すなわち、図１０のフローチャートにおいて、ライトモードをオフにし（Ｓ３１）、テストストラテジをＴ２幅パルスとして設定する（Ｓ３２）。そして、ライトモードをオンし（Ｓ３３）、ピークホールド回路４１をオンにすることで（Ｓ３４）、図８に示すように、波形なまりがある場合は、制御電圧Ｖ３の値として影響が現れる。ここで、制御電圧Ｖ３を読み出し（Ｓ３５）、リンギングや波形なまりの影響がない場合の制御電圧Ｖ１と比較する。Ｖ１＝Ｖ３であれば（Ｓ３６）、リンギングも波形なまりもないものとして、補正量はゼロ又は補正量を生成しない（Ｓ３７）。
【００４０】
Ｖ１＝Ｖ３でなければ、Ｖ１＞Ｖ３であるかどうかを問い（Ｓ３８）、Ｖ１＞Ｖ３であれば、補正量であるレジスタＡの値を１単位増やし（Ｓ３９）、Ｖ１＜Ｖ３であれば、補正量であるレジスタＡの値を１単位減らして（Ｓ４０）、再び、制御電圧Ｖ３の変化を調べる（Ｓ４１）。このレジスタＡの値の調整を、Ｖ１＝Ｖ３となるまで反復し（Ｓ４２）、最終的にＶ１＝Ｖ３となった際のレジスタＡの値を、補正なまりの影響を解消するための補正量と決定する（Ｓ４３）。
【００４１】
このようにして決定した補正量は、リンギング又は補正なまりの影響を軽減・排除するべく、図３のライトＡＰＣ回路１１のレジスタ４５に格納される。この作業は、システムコントローラ１０が自動的に行ってもよいし、技術者が工場出荷時に行うものでもよい。そして、光ディスク装置の通常の記録動作の際に、フロントモニタ信号Ｍが基準電圧ＶＲに近づくべく生成される制御信号は、更に、レジスタ４５から与えられた補正量に基づくゲインアンプ４４の動作により補正されて、例えば、リンギングの影響、又は、波形なまりの影響を軽減・排除する。これにより、リンギングや波形なまりの影響により、レーザ光の光量が不適当となることを回避して、信頼性の高い記録処理を行う光ディスク装置を提供することが可能となる。
【００４２】
以上記載した様々な実施形態により、当業者は本発明を実現することができるが、更にこれらの実施形態の様々な変形例を思いつくことが当業者によって容易であり、発明的な能力をもたなくとも様々な実施形態へと適用することが可能である。従って、本発明は、開示された原理と新規な特徴に矛盾しない広範な範囲に及ぶものであり、上述した実施形態に限定されるものではない。
【図面の簡単な説明】
【００４３】
【図１】本発明に係る光ディスク装置の構成の一例を示すブロック図。
【図２】本発明に係る光ディスク装置のピックアップの一例の構造を示すブロック図。
【図３】本発明に係る光ディスク装置のライトＡＰＣ回路の構成の一例を示すブロック図。
【図４】本発明に係る光ディスク装置のＡＰＣ回路における理想的なフロントモニタ信号の一例を示すグラフ。
【図５】本発明に係る光ディスク装置のＡＰＣ回路におけるリンギングが発生したフロントモニタ信号の一例を示すグラフ。
【図６】本発明に係る光ディスク装置のＡＰＣ回路における信号なまりが発生したフロントモニタ信号の一例を示すグラフ。
【図７】本発明に係る光ディスク装置において、長いパルス幅のパルスによりリンギングを解消した場合の一例を示すグラフ。
【図８】本発明に係る光ディスク装置において、長いパルス幅のパルスにより信号なまりを解消した場合の一例を示すグラフ。
【図９】本発明に係る光ディスク装置のＡＰＣ回路における、リンギングに対する補正量の生成処理の一例を示すフローチャート。
【図１０】本発明に係る光ディスク装置のＡＰＣ回路における、波形なまりに対する補正量の生成処理の一例を示すフローチャート。
【符号の説明】
【００４４】
１０…システムコントローラ、１１…ライトＡＰＣ回路、１２…ディスクモータ、１４…光ピックアップ、１６…ＲＦアンプ、１８…信号処理回路、２０…レーザ発光ドライバ、２１…レーザ発光ドライバ、２２…サンプリング回路、２３…フォーカスサーボアンプ・ドライバ、２５…トラッキングサーボアンプ・ドライバ、２８…エンコード処理回路、３０…バッファメモリ、３１…インタフェース。
【図１】
2005166123.tif 000003
【図２】
2005166123.tif 000004
【図３】
2005166123.tif 000005
【図４】
2005166123.tif 000006
【図５】
2005166123.tif 000007
【図６】
2005166123.tif 000008
【図７】
2005166123.tif 000009
【図８】
2005166123.tif 000010
【図９】
2005166123.tif 000011
【図１０】
2005166123.tif 000012